【事件の表示】
　平成１０年特許願第３５８６５８号「殺菌式便座装置」拒絶査定不服審判事件〔平成１１年　９月１４日出願公開、特開平１１−２４４２０１〕について、次のとおり審決する。
【結　論】
　本件審判の請求は、成り立たない。
【理　由】
【１】手続の経緯・本願発明
　本願は、平成１０年１２月１７日（優先権主張：平成１０年１月２２日）に出願したものであって、平成１５年５月７日付けで拒絶査定がなされ、これに対し、同年８月５日に拒絶査定に対する審判請求がなされるとともに、同年９月４日に手続補正がなされ、その後、当審において、平成１７年１０月２５日付けで上記手続補正の却下の決定がなされるとともに、平成１７年１１月１１日付けで拒絶理由が通知され、これに対し、平成１８年５月２２日に手続補正がなされたものであり、本願の請求項１に係る発明は、平成１８年５月２２日になされた手続補正により補正された明細書及び出願当初の図面の記載からみて、その特許請求の範囲の請求項１に記載された事項により特定される以下のとおりのものと認められる。
　「【請求項１】少なくとも一つの人が座るように設けられた便座面を有する便座と、
　該少なくとも一つの人が座るように設けられた便座面を殺菌するための殺菌手段と、
　該殺菌手段を保持するための少なくとも一つの収容手段と、
　便座の殺菌を起動させる手段と、
　前記少なくとも一つの便座面を、枢動可能に及び／又は前記少なくとも一つの収容手段に対して便座面を順次配置するように、載置する手段と、
　前記少なくとも一つの収容手段を便座に対して枢動可能に載置、及び／又は前記少なくとも一つの収容手段を便座と便器枠との間に載置する手段とを有する殺菌式便座装置において、
　前記収容手段が、前記少なくとも一つの人が座るように設けられた便座面に略合致する少なくとも一つのエレメントを有し、前記収容手段と、前記少なくとも一つの便座面を有する便座とが、互いに所定の距離範囲内に入った時に、前記少なくとも一つの人が座るように設けられた便座面を容易に殺菌できる向きに前記便座殺菌手段を保持し、
　上記殺菌が、所定継続時間後及び／又は所定量の殺菌剤を適用した後に、自動的に停止することを特徴とする、殺菌式便座装置。」（以下、「本願発明」という。）
　　
　　
【２】引用刊行物とそれに記載の発明
　これに対して、当審における平成１７年１１月１１日付け通知の拒絶理由に引用し、本願出願前に日本国内において頒布された刊行物である特開平９−２８６２２号公報（以下、「刊行物」という。）には、滅菌トイレ装置に関して、以下の事項が図面とともに記載されている。
１．「【請求項１】便器の上に便座と便座カバーが回動自在に取り付けられたトイレ装置において、前記便座カバーは天板部の周縁から前記便座との隙間を覆うようにスカート部が垂下され、前記天板部の下面には、それと前記便座の上面との間に間隔が保たれるような脚部材が設けられ、前記便座カバーの裏面には殺菌灯が設置されたことを特徴とする滅菌トイレ装置。・・・【請求項３】前記便座カバーおよび／または前記便座が前記便器から上方に回動されて開放されたとき、前記殺菌灯が消滅し、前記と逆に閉鎖されたとき点灯するようなスイッチが設けられたことを特徴とする請求項１または２記載の滅菌トイレ装置。」（特許請求の範囲）
２．「【作用】トイレ不使用時には便座カバーが閉じられ、殺菌灯は点灯し、便座とその周縁を殺菌する。トイレ使用に際し便座カバーを開け、殺菌灯は消える。この状態で便座に座って用を足す。それが済めば再び便座カバーを閉め、殺菌灯が点灯する。・・・」（段落【０００８】）
３．「【実施例】・・・図１，２に示すトイレ装置において、便器１の上に便座２と便座カバー３が回動自在に取り付けられている。前記便座カバー３は、空間Ｖを挟んだ上下天板３ａ，３ｂを持ち、上天板部３ａの周縁から前記便座２との隙間を覆うようにスカート部３ｃが垂下され、閉状態で便座２の外周側面を覆い、便座上面より下方に至る。」（段落【０００９】）
４．「前記下天板部３ｂの下面には、それと前記便座２の上面との間に間隔が保たれるような脚部材４が設けられる。前記脚部材４は下天板部３ｂの裏面に一体突設された案内筒４ａと、その中に収容されたコイルバネ４ｂと、その下端に取り付けられ、案内筒内に出没自在となった当たり片４ｃからなる。」（段落【００１０】）
５．「さて、ここで便座カバー３の裏面には殺菌灯５が取り付けられる。・・・また、下天板部３ｂの下面にはアルミ箔からなる光反射シート１３が貼り付けられる。そして、前記便座カバー３および／または前記便座２が前記便器１から上方に回動されて開放されたとき、前記殺菌灯５が消灯し、前記と逆に閉鎖されたとき点灯するようなスイッチが設けられている。」（段落【００１１】）
６．「即ち、２個のソケット５ａが下天板３ｂの裏面に立設され、その基部が下天板３ｂを貫通して空間Ｖ内に進入し、それらの間にグローブ５ｂが着脱される。そして、電源端子に至る２本の電線の一方Ｃ１は殺菌灯５の一方ソケット５ａの一方端子に接続され、他方端子はグロースイッチ６を介して他方ソケット５ａの他方端子に接続される。また、電源端子に至る他方電線Ｃ２は元スイッチ９，点灯スイッチ８およびタイマスイッチ１０を経てトランス７に接続され、さらにそこから他方ソケット５の一方端子に接続される。これらの電気回路は空間Ｖ内に収納される。」（段落【００１２】）
７．「従って、電源端子を図外のコンセントに接続した状態で、元スイッチ９を閉とする。トイレ不使用時には便座カバー３が閉じられているので、スイッチ作動片１１は点灯スイッチ８の当たり片８ａから離れており、点灯スイッチ８は閉となっており、タイマスイッチ１０の作動中に殺菌灯５は点灯し、便座２とその周縁を殺菌する。」（段落【００１３】）
８．「トイレ使用に際し便座カバー３を開けると、作動片１１が点灯スイッチ８を押してそれを開とし、殺菌灯５は消える。この状態で便座２に座って用を足す。それが済めば再び便座カバー３を閉め、点灯スイッチ８が閉とされて殺菌灯５が点灯し、タイマ１０作動が終われば消える。」（段落【００１４】）
９．そして、上記３．等の記載によれば、便器１の上に便座２と便座カバー３が回動自在に取り付けられているのであるから、便器１と便座２及び便座カバー３とに、便座２及び便座カバー３を便器１に対して回動自在に載置するための手段を備えていることは、自明である。
　これら１．〜９．の記載を含む刊行物全体の記載及び当業者の技術常識によれば、刊行物には以下の発明が記載されているものと認められる。
　「便座２と、
　該便座２の上面を殺菌するための殺菌灯５と、
　その裏面に殺菌灯５が取り付けられた便座カバー３と、
　殺菌灯５と電源との間に接続された元スイッチ９、点灯スイッチ８及びタイマスイッチ１０、並びに、便座カバー３を開いた時に点灯スイッチ８を押す作動片１１と、
　前記便座２（の上面）を、便器１に回動自在に載置する手段と、
　前記便座カバー３を便器１或いは便座２に対して回動自在に載置する手段とを有する滅菌トイレ装置において、
　前記便座カバー３が、上下天板部３ａ，３ｂを持ち、下天板部３ｂの一部に、便座２の上面との間に一定の間隔を保つための脚部材４が取り付けられるとともにソケット５ａが取り付けられ、前記ソケット５ａにグローブ５ｂが取り付けられて殺菌灯５が構成されており、便座カバー３が閉じられて脚部材４により便座２の上面との間に一定の間隔が保たれた状態の時に、下天板部３ｂに取り付けられた殺菌灯５が便座２とその周縁を殺菌するように配置し、
　上記殺菌灯５が、便座カバー３を閉め点灯スイッチ８が閉とされてタイマスイッチ１０の作動中に点灯し、タイマスイッチ１０の作動が終われば消灯する、滅菌トイレ装置。」（以下、「刊行物に記載の発明」という。）
　　
　　
【３】本願発明と刊行物に記載の発明との対比・判断
〔１〕本願発明と刊行物に記載の発明との対比
　刊行物に記載の発明の「便座２」，「便座２の上面」，「殺菌灯５」，「裏面に殺菌灯５が取り付けられた便座カバー３」，「殺菌灯５と電源との間に接続された元スイッチ９、点灯スイッチ８及びタイマスイッチ１０、並びに、便座カバー３を開いた時に点灯スイッチ８を押す作動片１１」，「便座カバー３が閉じられて脚部材４により便座２の上面との間に一定の間隔が保たれた状態の時に」，「下天板部３ｂに取り付けられた殺菌灯５が便座２とその周縁を殺菌するように配置し」，「滅菌トイレ装置」が、本願発明の「少なくとも一つの人が座るように設けられた便座面を有する便座」，「少なくとも一つの人が座るように設けられた便座面」，「便座殺菌手段」，「殺菌手段を保持するための少なくとも一つの収容手段」，「便座の殺菌を起動させる手段」，「収容手段と、少なくとも一つの便座面を有する便座とが、互いに所定の距離範囲内に入った時に」，「少なくとも一つの人が座るように設けられた便座面を容易に殺菌できる向きに便座殺菌手段を保持し」，「殺菌式便座装置」にそれぞれ相当し、
　また、本願発明に係る請求項１の記載において、便座面を載置する手段については、「少なくとも一つの便座面を、枢動可能に及び／又は少なくとも一つの収容手段に対して便座面を順次配置するように、載置する手段」とあり、同じく、収容手段を載置する手段については、「少なくとも一つの収容手段を便座に対して枢動可能に載置、及び／又は少なくとも一つの収容手段を便座と便器枠との間に載置する手段」とあり、同じく、殺菌の自動停止動作については、「所定継続時間後及び／又は所定量の殺菌剤を適用した後に、自動的に停止する」とあるように、何れも、「及び／又は」との文言を介して二つの選択事項が並列して記載されており、これによれば、本願発明が、上記各手段及び動作の何れにおいても、二つの選択事項のうちの一つを有していれば成り立つものであることを考慮すると、刊行物に記載の発明の「便座２（の上面）を、便器１に回動自在に載置する手段」，「便座カバー３を便器１或いは便座２に対して回動自在に載置する手段」，「殺菌灯５が、便座カバー３を閉め点灯スイッチ８が閉とされてタイマスイッチ１０の作動中に点灯し、タイマスイッチ１０の作動が終われば消灯する」が、本願発明の「少なくとも一つの便座面を、枢動可能に及び／又は少なくとも一つの収容手段に対して便座面を順次配置するように、載置する手段」，「少なくとも一つの収容手段を便座に対して枢動可能に載置、及び／又は少なくとも一つの収容手段を便座と便器枠との間に載置する手段」，「殺菌が、所定継続時間後及び／又は所定量の殺菌剤を適用した後に、自動的に停止する」にそれぞれ相当し、
　さらに、本願発明に係る請求項１の記載において、「少なくとも一つのエレメント」については、これが具体的に何を規定するものなのか定かでないが、本願明細書の発明の詳細な説明には、便座（面）に略合致するものとして、段落【００２８】では「収容体３」、段落【００２９】〜【００３４】では「凹部１２」及び「フェルト層１５」、段落【００３７】，【００３８】では「ガイドリブ３７」及び「金属製管３２」、段落【００４３】〜【００４６】では「収容体５１」（但し、「加熱エレメント」との記載もある。）、段落【００５３】では「収容体層８０」、段落【００５６】では「収容体層９０」、段落【００６０】では「略楕円形の軌道」、段落【００６７】では「収容体１３０」が記載されており、これによれば、本願発明の「少なくとも一つのエレメント」は、少なくとも、「収容手段」或いは「便座殺菌手段」の一部とみることができることを考慮すると、刊行物に記載の発明の「下天板部３ｂの一部」における「殺菌灯５」の取り付け部分、或いは、「殺菌灯５」を構成する「ソケット５ａ」や「グローブ５ｂ」が、本願発明の「少なくとも一つのエレメント」に相当するものといえるから、
　両者は、
　「少なくとも一つの人が座るように設けられた便座面を有する便座と、
　該少なくとも一つの人が座るように設けられた便座面を殺菌するための殺菌手段と、
　該殺菌手段を保持するための少なくとも一つの収容手段と、
　便座の殺菌を起動させる手段と、
　前記少なくとも一つの便座面を、枢動可能に及び／又は前記少なくとも一つの収容手段に対して便座面を順次配置するように、載置する手段と、
　前記少なくとも一つの収容手段を便座に対して枢動可能に載置、及び／又は前記少なくとも一つの収容手段を便座と便器枠との間に載置する手段とを有する殺菌式便座装置において、
　前記収容手段が、少なくとも一つのエレメントを有し、前記収容手段と、前記少なくとも一つの便座面を有する便座とが、互いに所定の距離範囲内に入った時に、前記少なくとも一つの人が座るように設けられた便座面を容易に殺菌できる向きに前記便座殺菌手段を保持し、
　上記殺菌が、所定継続時間後及び／又は所定量の殺菌剤を適用した後に、自動的に停止する、殺菌式便座装置。」の点で一致し、以下の点で相違する。
＜相違点＞
　「少なくとも一つのエレメント」について、本願発明が、「少なくとも一つの人が座るように設けられた便座面に略合致する」ものであるのに対して、刊行物に記載の発明では、少なくとも一つのエレメント（下天板部３ｂの一部における殺菌灯５の取り付け部分、或いは、ソケット５ａやグローブ５ｂ）が便座面（便座２の上面）に略合致していない点。
　　
〔２〕相違点についての検討
　便器蓋の一部或いは便器蓋に配置した殺菌手段を便座面に略合致するように構成することは、例えば、特開平８−２０６０３５号公報（便蓋本体６の下面で便座４と対応する部位にリング状のガイドレール８を設け、該ガイドレール８に沿って殺菌剤や消毒剤が含浸されたモップ、スポンジ等の清掃体１５を備えた清掃具１６を移動するようにした便座装置が記載されている。段落【００１１】〜【００１５】の記載を参照。），特開平４−１７４６３４号公報（便座２３にその形状に合わせて略Ｕ字状に埋設した放電用電極２に対応させて蓋体２４に略Ｕ字状に放電用電極３を埋設し、商用電源８で駆動される高圧発生部９からの高圧電圧が放電用電極２，３に供給されて便座２３上面に付着している細菌等の殺菌、消毒が行われるようにした便座装置が記載されている。公報２頁右下欄１８行〜同３頁左下欄１２行の記載を参照。），特開平４−２３１５号公報（上蓋３の略楕円形の本体筐体３ａ内に便座２に沿う楕円形（または馬蹄形）に形成された紫外線照射ランプ４を装着し、該紫外線照射ランプ４により便座２の表面の消毒、滅菌が行われるようにした便座装置が記載されている。公報３頁左下欄１２行〜同４頁右上欄２行の記載を参照。），実願平２−１１５５２７号（実開平４−７１５９８号）のマイクロフィルム（便器蓋４に便座２の座面２Ｂの形状に沿って卵形の軌道を描いて移動するスポンジ等の払拭具６を備えた座面払拭装置５を設け、該払拭具６に消毒液Ａが適量ずつ供給されることにより座面２Ｂの消毒が行われるようにした便座装置が記載されている。明細書１０頁２行〜同１１頁３行の記載を参照。）に示されているように、殺菌式便座装置の技術分野において従来から周知の技術にすぎず、しかも、このような周知技術を刊行物に記載の発明に適用することについては、格別の阻害要因を認めることができないものであるから、本願発明の相違点に係る構成は刊行物に記載の発明及び上記のような周知技術から当業者が容易に想到できたものである。
　　
〔３〕作用効果・判断
　そして、本願発明の効果も、刊行物に記載の発明及び殺菌式便座装置の技術分野における周知技術に固有の機能に基づき普通に予測できる範囲内のものであって、格別なものとは認められないから、本願発明は、刊行物に記載の発明及び殺菌式便座装置の技術分野における周知技術から、当業者が容易に発明をすることができたものと云わざるをえない。
　　
　　
【４】むすび
　以上のように、本願発明は、刊行物に記載の発明及び殺菌式便座装置の技術分野における周知技術に基づき、当業者が容易に発明できたものであって、特許法第２９条第２項の規定により、特許を受けることができないものであり、本願は拒絶すべきものである。
　よって、結論のとおり審決する。